(57)【特許請求の範囲】
【請求項１】
立体視画像が印刷された印刷物と、
上記印刷物に切り離し可能に設けられ、上記立体視画像を鑑賞するための眼鏡を構成する眼鏡部を備えたことを特徴とする立体視画像配布物。
【請求項２】
立体視画像が印刷された印刷物を収容するケースと、
上記ケースに切り離し可能に設けられ、上記立体視画像を鑑賞するための眼鏡を構成する眼鏡部を備えたことを特徴とする立体視画像配布物。
【請求項３】
前記印刷物と前記眼鏡部は、同一担持体に形成され、上記印刷物と上記眼鏡部の境界には、切り離しのためのミシン目が設けられていることを特徴とする請求項１または請求項２記載の立体視画像配布物。
【発明の詳細な説明】
【０００１】
【発明の属する技術分野】
本発明は、立体視写真などの立体視画像を配布するための立体視画像配布物に関する。
【０００２】
【従来の技術】
従来より、種々の情報の提供のために、ダイレクトメールや案内状書簡が実用されている。これらのダイレクトメールや案内状書簡では、提供する情報を効果的にするために、種々の工夫、効果的なデザインが施されている。
【０００３】
また、観光地や記念館などでは、記念品として絵はがきなどのカード類が、様々な意匠が凝らされて販売されている。
【０００４】
【発明が解決しようとする課題】
一方で、立体視写真などの立体視画像を印刷して、それを鑑賞することもなされている。立体視写真で鑑賞する内容としては、奥行きのはっきりしたものが適しているが、例えば、製品の意匠を立体視画像に仕立てたものを鑑賞すると、製品の外観を立体的に鑑賞することができ、視覚的効果が良好である。
【０００５】
また、街頭で配布する広告等に立体視画像を適用すると、より集客効果が向上すると期待される。
【０００６】
本発明は、かかる実情に鑑みてなされたものであり、視覚効果の高い立体視画像を配布するための立体視画像配布物を提供することを目的としている。
【０００７】
また、立体視画像が印刷された印刷物を収容するケースと、上記ケースに切り離し可能に設けられ、上記立体視画像を鑑賞するための眼鏡を構成する眼鏡部を備えたものである。
【０００８】
【課題を解決するための手段】
本発明は、立体視画像が印刷された印刷物と、上記印刷物に切り離し可能に設けられ、上記立体視画像を鑑賞するための眼鏡を構成する眼鏡部を備えたものである。
【０００９】
また、立体視画像が印刷された印刷物を収容するケースと、上記ケースに切り離し可能に設けられ、上記立体視画像を鑑賞するための眼鏡を構成する眼鏡部を備えたものである。
【００１０】
また、前記印刷物と前記眼鏡部は、同一担持体に形成され、上記印刷物と上記眼鏡部の境界には、切り離しのためのミシン目が設けられたものである。
【００１１】
【発明の実施の形態】
以下、添付図面を参照しながら、本発明の実施の形態を詳細に説明する。
【００１２】
図１および図２は、本発明の一実施例にかかる立体視画像配布物の一例を示している。ここで、図において、一点鎖線は谷折り線を示し、破線はミシン目を示す（以下同じ）。
【００１３】
図において、この立体視画像配布物は、立体視画像が印刷された立体視画像担持面１と、立体視画像を鑑賞するための眼鏡部２を同一の用紙に設け、立体視画像担持面１と眼鏡部２との間には、立体視画像担持面１から眼鏡部２を切り離すためのミシン目３が設けられている。
【００１４】
また、眼鏡部２には、両眼の間隔に応じて窓２ａ，２ｂが設けられており、裏面からは、立体視画像を鑑賞するための余色フィルタ４，５を、接着剤等を用いて張り付けて構成されている。
【００１５】
ここで、立体視画像としては、例えば、赤フィルタと青フィルタを両眼に掛けて鑑賞した際に立体視として認識される余色立体視画像を適用することができる。
【００１６】
そして、この立体視画像配布物を用いて立体視画像を鑑賞する際には、図３（ａ），（ｂ）に示すように、ミシン目３で立体視画像担持面１と眼鏡部２を切り離し、眼鏡部２を両眼に当てて立体視画像担持面１の立体視画像を鑑賞する。
【００１７】
これにより、ユーザは、立体視画像担持面１に印刷されている立体視画像を鑑賞することができる。
【００１８】
このようにして、本実施例では、立体視画像と、それを鑑賞するための眼鏡を同一の立体視画像配布物に一体化しているので、立体視画像を鑑賞するための眼鏡を別途設ける必要がなく、非常に簡便に立体視画像を配布することができる。また、コスト的にも非常に安価に実現することができ、量産に適しており、大量に配布する配布物に適用可能である。
【００１９】
ところで、上述した実施例では、眼鏡部２の余色フィルタ４，５を張り付けているだけなので、はがれたりするおそれがある。
【００２０】
かかる不具合を解消できる、本発明の他の実施例にかかる立体視画像配布物の一例を図４に示す。なお、同図において、図１，２と同一部分、および、相当する部分には、同一符号を付している。
【００２１】
同図において、立体視画像担持部１にミシン目３ａを介して連結される眼鏡部２’は、その略中央部で折り返され、その折り返し位置Ｔ１から左側の部分２’ａには、左右の目の位置に応じた窓２ａａ，２ｂａが設けられ、それぞれの窓２ａａ，２ｂａには、立体視画像を立体視させるための余色フィルタ４，５がおのおの配設されている。
【００２２】
また、眼鏡部２’の折り返し位置Ｔ１から右側の部分２’ｂには、折り返した際に窓２ａａ，２ｂａに重なる位置に対応して窓２ａｂ，２ｂｂが設けられている。また、部分２’ｂの最端部の寸法Ｌｎａは、折り返し位置Ｔ１で折り返した際、部分２’ｂを部分２’ａに糊付けする糊代ＮＲ１が設けられている。また、眼鏡部２’を切り離すためのミシン目３ａは、図５に示すように、部分２’ａと部分２’ｂを張り合わせたときに、露出可能な位置に設けられている。
【００２３】
ところで、上述した実施例では、１つの立体視画像担持面１に、１つの眼鏡部２，２ａを切り離し可能に設けているが、複数の立体視画像担持面を設けることもできる。
【００２４】
この場合の立体視画像配布物の一例を図６に示す。
【００２５】
この場合、４つの立体視画像１，２，３，４がそれぞれ印刷された立体視画像担持面１１ａ，１１ｂ，１１ｃ，１１ｄが設けられ、立体視画像担持面１１ｄには、眼鏡部１２が、ミシン目１３を介して、切り離し可能に連結されている。
【００２６】
また、眼鏡部１２には、両眼の間隔に応じて窓１２ａ，１２ｂが設けられており、裏面からは、立体視画像を鑑賞するための余色フィルタ１４，１５を、接着剤等を用いて張り付けて構成されている。
【００２７】
このようにして、複数の立体視画像を配布する配布物にも適用することができる。また、それぞれの立体視画像として、同一地域の店舗等の広告画像を適用すると、例えば、該当で配布する販促用の広告パンフレットとして適用した際の集客効果が大きいことが期待される。
【００２８】
図７は、本発明のさらに他の実施例にかかる立体視画像配布物の一例を示している。なお、同図において、図１，２および図４，５と同一部分および相当する部分には、同一符号を付している。
【００２９】
この立体視画像配布物には、２つの立体視画像を担持する立体視画像担持部１ａ，１ｂが設けられ、立体視画像担持部１ａには、折り込み型の眼鏡部２’が、ミシン目３ａを介して、切り離し可能に連結されている。
【００３０】
また、立体視画像担持部１ａとミシン目３ａとの間には、谷折り線Ｔ１が設けられ、立体視画像担持部１ａと立体視画像担持部１ｂとの間にも谷折り線Ｔ２が設けられている。
【００３１】
したがって、まず、谷折り線Ｔ１で折り返して、眼鏡部２’を立体視画像担持部１ａに合わせ、次いで、谷折り線Ｔ２で折り返して、立体視画像担持部１ｂを立体視画像担持部１ａおよび眼鏡部２’に合わせることで、この立体視画像配布物は、面積が立体視画像担持部１ａ，１ｂの大きさに制限され、このまま封書等に封入して郵便物として配布することができる。
【００３２】
あるいは、いわゆるシークレットメールの技術を適用することで、立体視画像担持部１ｂを立体視画像担持部１ａおよび眼鏡部２’に封止することができ、それにより、葉書として配布することができる。
【００３３】
ところで、上述した実施例では、立体視画像担持体に眼鏡部を直接的に設けているが、立体視画像担持体を収容するケースに、眼鏡部を切り離し可能に設けるようにすることもできる。
【００３４】
例えば、立体視画像担持体からなる絵はがきと、この絵はがきを収容するケースからなる立体視画像配布物を考えた場合、上記ケースに上述した立体視画像観賞用の眼鏡部を切り離し可能に設けることで、立体視画像担持体と一体的に眼鏡部を設けることができる。
【００３５】
また、立体視画像担持面および眼鏡部をプラスチックのような素材で構成することもできる。
【００３６】
なお、上述した実施例では、立体視画像配付物が単体で使用される場合について説明したが、本発明は、例えば、雑誌の特集記事や袋とじ部などの、製本された印刷物についても同様にして適用することができる。
【００３７】
また、上述した実施例では、立体視画像担持面を延長した部分に眼鏡部を設けているが、眼鏡部の寸法を立体視画像担持面よりも小さくすることができる。すなわち、立体視画像担持面が大判の場合などでは、より小さく必要な寸法の眼鏡部を設けることができる。
【００３８】
【発明の効果】
以上説明したように、本発明によれば、立体視画像と、それを鑑賞するための眼鏡を同一の立体視画像配布物に一体化しているので、立体視画像を鑑賞するための眼鏡を別途設ける必要がなく、非常に簡便に立体視画像を配布することができるという効果も得る。
【００３９】
また、コスト的にも非常に安価に実現することができ、量産に適しており、大量に配布する配布物に適用可能であるという効果も得る。
【図面の簡単な説明】
【図１】本発明の一実施例にかかる立体視画像配布物の一例を示した概略図（表面）。
【図２】本発明の一実施例にかかる立体視画像配布物の一例を示した概略図（裏面）。
【図３】眼鏡部を切り離して鑑賞する際の一例を示した概略図。
【図４】本発明の他の実施例にかかる立体視画像配布物の一例を示した概略図（展開図）。
【図５】本発明の他の実施例にかかる立体視画像配布物の一例を示した概略図。
【図６】本発明のさらに他の実施例にかかる立体視画像配布物の一例を示した概略図。
【図７】本発明のまたさらに他の実施例にかかる立体視画像配布物の一例を示した概略図。
【符号の説明】
１，１ａ，１ｂ，１１，１２，１３，１４  立体視画像担持部
２，２’１２  眼鏡部
３，３ａ，１３  ミシン目
４，５，１４，１５  余色フィルタ
【図１】
0003573270.tif 000002
【図２】
0003573270.tif 000003
【図３】
0003573270.tif 000004
【図４】
0003573270.tif 000005
【図５】
0003573270.tif 000006
【図６】
0003573270.tif 000007
【図７】
0003573270.tif 000008